(57)【要約】【課題】  水道直結タイプの浄水器の設置場所の制約を完全に解消する。【解決手段】  注水された水道水を貯水する貯水タンク２と、貯水タンク２に貯水された水道水を殺菌する殺菌部３と、貯水タンク２に貯水された水道水を水道と同等の水圧で浄水器に給水する給水部４と、貯水タンク２，殺菌部３，給水部４を収容して床面に設置されるケーシング１と、ケーシング１を支持してケーシング１を移動させる走行部７とを備えている。【選択図】        図１
2008200659.tif 000002
【特許請求の範囲】
【請求項１】
注水された水道水を貯水する貯水タンクと、貯水タンクに貯水された水道水を殺菌する殺菌部と、貯水タンクに貯水された水道水を水道と同等の水圧で浄水器に給水する給水部と、貯水タンク，殺菌部，給水部を収容して床面に設置されるケーシングと、ケーシングを支持してケーシングを移動させる走行部とを備えてなる浄水器用給水装置。
【請求項２】
請求項１の浄水器用給水装置において、貯水タンクに貯水されている水道水の水位を検出する水位センサと、貯水タンクに貯水されている水道水が一定の水位以下になったことを水位センサが検出した際に警報を発信する警報部とを備えたことを特徴とする浄水器用給水装置。
【請求項３】
請求項１または２の浄水器用給水装置において、走行部によるケーシングの移動を操作する操作部を備えていることを特徴とする浄水器用給水装置。
【請求項４】
請求項３の浄水器用給水装置において、操作部は上下に伸縮される取手構造であることを特徴とする浄水器用給水装置。
【請求項５】
請求項１〜４のいずれかの浄水器用給水装置において、走行部はケーシングの下面に取付けられ少なくとも２輪が方向転換可能な４輪の車輪からなることを特徴とする浄水器用給水装置。
【発明の詳細な説明】
【技術分野】
【０００１】
本発明は、水道水（市水）を処理した飲料水を提供する比較的大型の浄水器への水道水の給水源（供給源）となる浄水器用給水装置に係る技術分野に属する。
【背景技術】
【０００２】
最近、水道水の水質の低下に伴って、各所で浄水器が設置されるようになってきている。特に、飲食店等の業務用や事業所用の比較的大型のものでは、ミネラルウォータボトルをセットして冷却等の単純な処理で飲料水として提供する水料金が高負担なタイプを避けて、水道水に殺菌，消臭，アルカリ化，高濃度酸素化，ミネラル添加等の各種の複雑な処理を施す機能を備えて水道に直結されるタイプが普及している。
【０００３】
水道直結タイプの浄水器は、水道管が配管（またはホース等で実質的に延長配管）された場所以外に設置することができないものである。このため、水道直結タイプの浄水器の設置場所の制約を解消する技術の開発が要望されている。
【０００４】
従来、水道直結タイプの浄水器の設置場所の制約を解消する技術としては、例えば、以下に記載のものが知られている。
【特許文献１】実開昭５３−２７３９９号公報  特許文献１には、浄水器にキャスタを取付けた技術が記載されている。
【０００５】
特許文献１に係る技術は、浄水器をキャスタで移動させホースを水道管に接続することで、水道直結タイプの浄水器の設置場所の制約を解消しようとするものである。
【発明の開示】
【発明が解決しようとする課題】
【０００６】
特許文献１に係る技術では、漏水のおそれや美観の低下等からホースによる水道管の実質的な延長に限界があるため、水道直結タイプの浄水器の設置場所の制約を完全に解消することができないという問題点がある。
【０００７】
本発明は、このような問題点を考慮してなされたもので、水道直結タイプの浄水器の設置場所の制約を完全に解消することのできる浄水器用給水装置を提供することを課題とする。
【課題を解決するための手段】
【０００８】
前述の課題を解決するため、本発明に係る浄水器用給水装置は、特許請求の範囲の各請求項に記載の手段を採用する。
【０００９】
即ち、請求項１では、注水された水道水を貯水する貯水タンクと、貯水タンクに貯水された水道水を殺菌する殺菌部と、貯水タンクに貯水された水道水を水道と同等の水圧で浄水器に給水する給水部と、貯水タンク，殺菌部，給水部を収容して床面に設置されるケーシングと、ケーシングを支持してケーシングを移動させる走行部とを備えてなる。
【００１０】
この手段では、水道管が配管された場所まで走行部で移動させ、貯水タンクに水道管から水道水を注水してから、浄水器の設置場所まで走行部で移動させて殺菌部で貯水タンクに貯水された水道水の水質を保持しておき、給水部と浄水器とを接続するホースを介して浄水器に水道水を水道と同等の水圧で給水する使用形態を採ることで、浄水器を水道管が配管された場所以外にも設置することができるようになる。
【００１１】
また、請求項２では、請求項１の浄水器用給水装置において、貯水タンクに貯水されている水道水の水位を検出する水位センサと、貯水タンクに貯水されている水道水が一定の水位以下になったことを水位センサが検出した際に警報を発信する警報部とを備えたことを特徴とする。
【００１２】
この手段では、水位センサ，警報部が備えられることで、貯水タンクに貯水されている水道水の残量が低下した場合に警報が発信される。
【００１３】
また、請求項３では、請求項１または２の浄水器用給水装置において、走行部によるケーシングの移動を操作する操作部を備えていることを特徴とする。
【００１４】
この手段では、操作部が備えられることで、ケーシングの移動が操作部によって操作される。
【００１５】
また、請求項４では、請求項３の浄水器用給水装置において、操作部はケーシングの後方側の側面に取付けられ上下に伸縮される取手構造であることを特徴とする浄水器用給水装置。
【００１６】
この手段によると、操作部を上下に伸縮される取手構造としてケーシングの後方側の側面に取付けることで、操作部を掴んだ押操作によってケーシングを移動させることができる。
【００１７】
また、請求項５では、請求項１〜４のいずれかの浄水器用給水装置において、走行部はケーシングの下面に取付けられ少なくとも２輪が方向転換可能な４輪の車輪からなることを特徴とする。
【００１８】
この手段によると、走行部が方向転換可能な２輪を含む４輪の車輪とされることで、ケーシングを安定的に任意の場所に移動させることができる。
【発明の効果】
【００１９】
本発明に係る浄水器用給水装置は、水道管が配管された場所まで走行部で移動させ、貯水タンクに水道管から水道水を注水してから、浄水器の設置場所まで走行部で移動させて殺菌部で貯水タンクに貯水された水道水の水質を保持しておき、給水部と浄水器とを接続ホースを介して浄水器に水道水を水道と同等の水圧で給水する使用形態を採ることで、浄水器を水道管が配管された場所にも設置することがきるため、水道直結タイプの浄水器の設置場所の制約を完全に解消することができる効果がある。
【発明を実施するための最良の形態】
【００２０】
以下、本発明に係る浄水器用給水装置を実施するための最良の形態を図面に基づいて説明する。
【００２１】
この形態は、図１〜図３に示すように、ケーシング１の内部に貯水タンク２，殺菌部３，給水部４，制御部５が収容され、ケーシング１の側部に警報部６が設けられ、ケーシング１の下部付近に走行部７，脚部８，操作部９，電源部１０，注水用ホース２０，給水用ホース３０が設けられた構成になっている。
【００２２】
ケーシング１は、金属材，合成樹脂材等で方形の箱形に形成されたケーシング本体１１の上面が着脱可能な板形の蓋体１２に形成され、ケーシング本体１１，蓋体１２が締付構造の留金１３で水密，気密に接合され固定されるようになっている。ケーシング本体１１の後方側の側面には、注水用ホース２０を支持するためのＬ字金具１３と、給水用ホース３０を支持するためのＣ字金具１４とが取付けられている。蓋体１２は、内部に断熱材１２ａを内蔵しケーシング本体１１への当接面にシート状のパッキング１２ｂが取付けられている。
【００２３】
貯水タンク２は、図２に詳細に示されるように、水道水を貯水する直方体の貯水体積を有してケーシング１のケーシング本体１１の上面（蓋体１２）に開放されたタンク本体２１がケーシング１に内部容積の大部分を占めるように収容されている。タンク本体２１の側面，底面の外側には、漏水を防止するマットを兼ねた断熱材２２が張設されている。タンク本体２１の前方側の側面には、ケーシング１のケーシング本体１１の前方側の側面から露出してタンク本体２１に貯水された水道水の水位を直接的に目視できる水位計２３が接続されている。タンク本体２１の後方側の側面の上部には、ケーシング１のケーシング本体１１の後方側の側面から露出してタンク本体２１の内部に水道水を注水するための注水用ホース２０が接続される注入口２４が接続されている。この注水口２４には、必要に応じて栓，コック等が取付けられる。タンク本体２１の底面には、ケーシング１のケーシング本体１１の後方側の側面から露出してタンク本体２１の内部の水道水を払底するためのドレン口２５が接続されている。このドレン口２５には、必要に応じて栓，コック等が取付けられる。
【００２４】
殺菌部３は、貯水タンク２のタンク本体２１に貯水されている水道水を殺菌する筒形の紫外線照射等の殺菌灯からなるもので、貯水タンク２のタンク本体２１の底面のほぼ中央部に立設されている。この殺菌部３は、電源部１０のスイッチ（図示せず）のＯＮ，ＯＦＦの切換によって点灯，消灯する。
【００２５】
給水部４は、図２に詳細に示されるように、ケーシング１のケーシング本体１１の底面と貯水タンク２のタンク本体２１の底面との間の少しの収容スペースに収容されたストレーナ４１，給水ポンプ４２，給水口４３からなる。ストレーナ４１は、貯水タンク２のタンク本体２１の底面に着脱可能に接続されたメッシュ筒体からなるもので、貯水タンク２のタンク本体２１に貯水されている水道水に混入している異物（ごみ，水垢，錆等）が浄水器Ｗに流込むことのないように捕捉する。給水ポンプ４２は、ストレーナ４１に接続された小型の送水ポンプからなるもので、貯水タンク２のタンク本体２１に貯水されている水道水を吸入して吐出し浄水器Ｗに給水（送水）する。この給水ポンプ４２は、電源部の１０スイッチのＯＮ，ＯＦＦの切換によって駆動，停止されるが、プレッシャスイッチを内蔵して浄水器Ｗへの給水が必要なくなった際（ボールタップ等により給水栓が閉鎖された場合等）に自動的に停止されるようになっている。給水口４３は、給水ポンプ４２に接続されケーシング１のケーシング本体１１の後方側の側面から露出されたもので、浄水器Ｗの本来的に水道管が直結される水道接続口に接続されたホースＨに接続される給水用ホース３０が接続されて水道と同等の水圧の水道水を給水する。この給水口４３には、必要に応じて栓，コック等が取付けられる。
【００２６】
制御部５は、図３に詳細に示されるように、スイッチ等を含む電源部１０に接続されたコントローラ５１に水位センサ５２，殺菌部３，給水部４（給水ポンプ５２），警報部６が接続されている。コントローラ５１は、マイクロプロセッサを内蔵して、電源部１０のスイッチの切換や水位センサ５２の検出信号に基づいて殺菌部３，給水部４（給水ポンプ５２），警報部６の動作を制御する。水位センサ５２は、貯水タンク２のタンク本体２１に設置され、貯水タンク２のタンク本体２１に貯水されている水道水が一定の水位（給水部４の給水ポンプ５２に空気を噛込むおそれのある水位）以下になった際に警報信号を発信する。なお、図７に示すように、水位センサ５２の警報信号が発信された場合には、電源部１０のスイッチがＯＦＦに切換えられなくても、コントローラ５１によって、給水部４の給水ポンプ５２が停止され、殺菌部３である殺菌灯が消灯され、警報部６に警報の表示を指示する。
【００２７】
警報部６は、制御部５のコントローラ５１の指示によって発光，鳴音等するランプ，ブサー等からなる。
【００２８】
走行部７は、かなりの荷重に耐えることができるように、ケーシング１のケーシング本体１１の下面に４輪の車輪が取付けられている。後方側の２輪は、取付部が固定された走行輪７１となっている。前方側の２輪は、取付部が回転可能な転回走行輪７２となっている。４輪の走行輪７１，転回走行輪７２に少なくとも１輪には、回転を阻止することのできるストッパ（図示せず）が取付けられている。
【００２９】
操作部９は、伸縮パイプ９１，中継フレーム９２，取手９３の各部を備えた上下に伸縮可能な取手構造からなる、伸縮パイプ９１は、ケーシング１のケーシング本体１１の後方側の側面に溶接等で固定された２本の固定パイプ９１ａと、固定パイプ９１ａの内側にそれぞれスライド可能に嵌合された２本の可動パイプ９１ｂとからなる。中継フレーム９２は、伸縮パイプ９１の２本の固定パイプ９１ａの上端部付近に掛渡されるように固定されて固定パイプ９１ａを鳥居形になるように連結支持している。取手９３は、手を掛けることのできるバー形に形成されて、伸縮パイプ９１の２本の可動パイプ９１ｂの先端部に掛渡されるように固定されている。
【００３０】
電源部１０は、給水部４と同様にケーシング１のケーシング本体１１の底面と貯水タンク２のタンク本体２１の底面との間の少しの収容スペースに収容されたスイッチ回路，整流回路等（図示せず）にコード１０１が接続され、コード１０１がケーシング１のケーシング本体１１の後方側の側面から引出されて端末にプラグ１０２が接続されている。
【００３１】
注水用ホース２０は、貯水タンク２の注入口２４に接続されるホース本体２０１と、ホース本体２０１の先端部に取付けられたロート形の接続具２０２とからなる。
【００３２】
給水用ホース３０は、給水部４の給水口４３に接続されるホース本体３０１と、ホース本体３０１の先端部に取付けられ浄水器Ｗの本来的に水道管が直結される水道接続口に接続されたホースＨにワンタッチで接続される嵌合式の接続具３０２とからなる。
【００３３】
この形態は、浄水器Ｗと水道の蛇口Ｃとの間を移動することで、水道の蛇口Ｃから浄水器Ｗまで実質的に水道の配管を延長することができるものである。
【００３４】
即ち、図４，図７に示すように、電源部１０のスイッチをＯＦＦに切換えて（必要に応じて、電源部１０のプラグ１０２をコンセントから引抜く）水道の蛇口Ｃまで移動させて、水道の蛇口Ｃに貯水タンク２の注入口２４に接続されている注水用ホース２０に接続し、水道の蛇口Ｃを開放して水道水を貯水タンク２のタンク本体２１の内部に注水する。このとき、注水用ホース２０の接続具２０２が水道水の飛散を防止する。なお、ケーシング１の蓋体１２を開放して、水道水を直接的に貯水タンク２のタンク本体２１の内部に注水することもできる。
【００３５】
この後、図５に示すように、操作部９の伸縮パイプ９１の可動パイプ９１ｂを固定パイプ９１ａから引出し、操作部９の伸縮パイプ９１を伸張させた状態で、操作部９の取手９３や中継フレーム９２を掴んで押操作する。そして、走行部７の走行輪７１，転回走行輪７２を回転させて、浄水器Ｗが設置されている場所まで移動させることになる。このとき、走行部７の走行輪７１，転回走行輪７２の転動で床面Ｆとの走行摩擦が低減されているため、女性，子供，老人等でも容易に移動させることができる。また、走行部７に方向転換可能な転回走行輪７２が設けられているため、自由な方向への移動が可能である。また、走行部７がケーシング１のケーシング本体１１の下面の前後方向位置に２輪ずつの４輪が配置されているため、安定した走行が可能となる。
【００３６】
浄水器Ｗが設置されている場所では、図６に示すように、浄水器Ｗに隣接するように設置される。このとき、注水された水道水を含めて全体の重量がかなり重くなっているため、走行部７が不測に回転動作することはない。ただし、念のために、走行部７の図示しないストッパを掛けておけばより安全性が確保される。なお、設置後に操作部９の伸縮パイプ９１を収縮させておけば、操作部９が周囲の邪魔になることがなく美観も良好となる。
【００３７】
そして、浄水器Ｗの本来的に水道管が直結される水道接続口に接続されたホースＨと給水部４の給水口４３とに接続された給水用ホース３０とを接続し、電源部１０のスイッチをＯＮに切換える（必要に応じて、電源部１０のプラグ１０２をコンセントに差込んでから）。なお、ホースＨは、ケーシング１のケーシング本体１１と浄水器Ｗとの背部に隠されてしまうため、美観上問題となることがない。
【００３８】
電源部１０のスイッチがＯＮに切換えられると、制御部５のコントローラ５１によって、給水部４の給水ポンプ５２が駆動され、殺菌部３である殺菌灯が点灯される。この結果、貯水タンク２のタンク本体２１の内部に貯水されている水道水は、給水部４の給水ポンプ５２によって、給水用ホース３０から浄水器Ｗに給水される。なお、浄水器Ｗに給水される水道水は、殺菌部３によって雑菌の繁殖が抑制されて水質が維持されている。従って、浄水器Ｗとしては、水道直結と変わりのない給水が得られることになる。
【００３９】
浄水器Ｗへの給水中において、前述のように浄水器Ｗへの給水が必要なくなってプレッシャスイッチが動作した場合には、給水部４の給水ポンプ５２が停止される。従って、浄水器Ｗにとっては、必要以上に高圧の水道水が給水されて内部で漏水等の不具合を起こすようなことはない。なお、浄水器Ｗへの給水が必要となってプレッシャスイッチの動作が解除された場合には、給水部４の給水ポンプ５２の駆動が再開される。
【００４０】
また、制御部５の水位センサ５２が警報信号を発信した場合、即ち貯水タンク２のタンク本体２１に貯水されている水道水が給水部４の給水ポンプ５２に空気を噛込むおそれのある水位以下になった場合には、電源部１０のスイッチをＯＦＦに切換えなくても、制御部５のコントローラ５１によって、警報部６に警報の表示が指示されるとともに、給水部４の給水ポンプ５２が停止され、殺菌部３である殺菌灯が消灯される。従って、空気が給水部４の給水ポンプ５２に噛み込まれて損傷したり、空気が浄水器Ｗに送込まれて損傷したりすることがなく、無駄な電力消費をも避けることができる。
【００４１】
この後、前述のように、水道の蛇口Ｃまで移動させて水道水を貯水タンク２のタンク本体２１の内部に注水することになる。
【００４２】
なお、通常では、警報部６に警報の表示が指示される前に、貯水タンク２の水位計２３を観察して適宜水道の蛇口Ｃまで移動させて水道水を貯水タンク２のタンク本体２１の内部に注水することになる。
【００４３】
また、ある程度の使用期間を経過した際には、各部（特に、貯水タンク２のタンク本体２１の内部）を清掃することになるが、ケーシング１のケーシング本体１１から蓋体１２を取外すと、貯水タンク２のタンク本体２１の内部を容易に清掃することができる。なお、清掃に伴う汚水については、貯水タンク２のドレン口２５を利用して排水することができる。
【００４４】
以上のことから、この形態を移動させて、浄水器Ｗに水道水をバッチ的に運搬して給水することができるため、水道直結タイプの浄水器Ｗの設置場所の制約を完全に解消することができる。
【図面の簡単な説明】
【００４５】
【図１】本発明に係る浄水器用給水装置を実施するための最良の形態の斜視図である。
【図２】図１の縦断面図である。
【図３】図１の要部の制御ブロック図である。
【図４】図１の使用例の１つの態様を示す側面図である。
【図５】図１の使用例の他の１つの態様を示す側面図である。
【図６】図１の設置状態の斜視図である。
【図７】図１の使用手順と各部の動作とのフローチャートである。
【符号の説明】
【００４６】
１            ケーシング
２            貯水タンク
３            殺菌部
４            給水部
５            制御部
５２          水位センサ
６            警報部
７            走行部
８            脚部
９            操作部
Ｃ            蛇口
Ｆ            床面
Ｗ            浄水器
【図１】
2008200659.tif 000003
【図２】
2008200659.tif 000004
【図３】
2008200659.tif 000005
【図４】
2008200659.tif 000006
【図５】
2008200659.tif 000007
【図６】
2008200659.tif 000008
【図７】
2008200659.tif 000009